(57)【要約】【課題】  昇降機の故障の前兆を捉える診断端末と、電話回線を通じて接続されたセンター装置によって構成される昇降機の遠隔監視診断装置では、昇降機の異常の兆候を捉える評価手段を端末側で有しており、且つセンター装置に集約すると一般的にはバッチ処理で診断処理を実行するため端末台数に比例してセンター装置の要求性能は高くなり、結果コスト高につながっていた。【解決手段】  端末に実装されている昇降機の稼動状態の評価手段とその評価用閾値とを全てセンター側で有し、且つ昇降機に対して１対１で管理することで評価手段を容易に、且つ昇降機毎に設定、変更する事を可能とし、また稼動情報を通信回線を用いて収集したタイミングで逐次処理を行うことで処理の分散と効率化を実現し、センター側の要求性能を低減する。【選択図】図１
2007055714.tif 000002
【特許請求の範囲】
【請求項１】
昇降機の稼動・診断情報を取得する遠隔診断端末と、通信回線を介して稼動・診断情報を取得・管理するセンター装置から構成される昇降機の遠隔監視診断装置において、昇降機の異常の兆候を捉える診断機能をセンター装置側に有することで前記診断の方法を昇降機毎に設定することができ、更に容易に且つ昇降機毎に変更することができることを特徴とする昇降機の遠隔監視診断装置。
【請求項２】
上記した昇降機の遠隔監視診断装置において、端末から稼動情報を収集したタイミングで逐次端末毎の診断処理を実行することで、センター装置側の負荷を分散し、設備投資を必要最小限にできることを特徴とした昇降機の遠隔監視診断装置。
【発明の詳細な説明】
【技術分野】
【０００１】
昇降機に取付けられた昇降機の稼動情報を得る端末から、通信回線を介して遠隔地のセンター装置において昇降機の異常診断を行う昇降機の遠隔監視診断装置に関する。
【背景技術】
【０００２】
昇降機の稼動情報を計測する診断端末と、通信回線を介して前記稼動情報と診断結果を収集し、診断端末が稼動情報を評価するための閾値を管理・設定する機能を有するセンター装置とからなる昇降機の遠隔監視診断装置では、診断端末において昇降機から得られた稼動情報とセンター装置から設定された評価閾値とを比較することにより、昇降機が異常に至る兆候を捉える。これをセンター装置で収集し、保全作業に反映することで故障を未然に防止するサービスの提供を行っている。
【０００３】
従来は昇降機が異常に至る兆候をセンター装置から診断端末に対して設定された評価閾値と昇降機の稼動情報を基に診断端末で持つ評価手段によって捉えているが、端末に評価手段と評価閾値とを保持しているため、評価用閾値を格納するだけの記憶領域は端末に確保する必要があり、且つ評価方法の改良を行うためには診断端末のソフトウェアを変更しなければならないため、診断端末が多台数の場合はコスト面で不可能に近かった（特許文献１参照）。
【特許文献１】特開２００４−１９２３２６号公報
【発明の開示】
【発明が解決しようとする課題】
【０００４】
昇降機が異常に至る兆候を捉えるためにその稼動情報を採取する診断端末では、診断端末内部に昇降機が正常か否かを判定するための評価手段と、そこで用いる評価閾値とを保持する必要があり、このような構成の場合は評価手段の改良による変更が発生した場合には診断端末のソフトウェアを書き換える必要が有り、多台数の場合はコスト面において実現は困難である。
【０００５】
また評価用閾値の種類等の変更にあたってもセンター装置との間の通信仕様の変更が必要になるため、診断端末のみならずセンター装置の改修費用がかかる。これらの解決手段として診断端末に実装している評価手段をセンター側で持つ構成とすることが容易に考えられるが、この場合も診断端末が多台数の場合はセンター装置に要求される処理性能が高くなり、実現に際してのコストは跳ね上がる。
【課題を解決するための手段】
【０００６】
上記の課題に対し、昇降機の遠隔監視診断装置において診断端末に実装されている昇降機の異常の兆候を捉える評価手段や、昇降機の仕様、環境などに応じて設定する稼動情報の評価閾値とを全てセンター装置内で一括管理することにより、従来診断端末に必要だった評価手段や評価用閾値を保有するための記憶装置を減らすことができ、診断端末のコストを低減されつつ、また評価閾値の変更、追加や評価方法の改良を容易にする。
【０００７】
またセンター装置の負荷の増大に対しては、通信処理と判定処理を独立させて動作させ、診断端末毎に稼動情報を格納するタイミングで診断処理を実行することで１回の処理件数を通信処理能力と合わせることでセンター側に必要とされる処理能力を分散し、効率良くできるため、要求能力を最少にすることが可能となる。
【発明の効果】
【０００８】
端末装置から稼動情報、設置環境、昇降機の仕様を全てセンター装置へ伝送し、昇降機毎の判定手段及び、端末装置に設定する評価用閾値をセンター装置で全て持つことで、端末側のソフトウェアを変更することなく評価手法を変更でき、またセンター装置へ評価手段を移行しても、稼動情報が収集できれば従来の端末も引き続き使用することは可能で、互換性も維持できる。
【０００９】
また上記構成によると端末装置の低コスト化、及び診断アルゴリズムの改良を容易にすると共に、稼動情報の収集タイミングで診断処理を実行することでセンター装置の処理を分散、効率化できるため、センター側の設備投資も最少とすることができる。
【発明を実施するための最良の形態】
【００１０】
本発明の実施形態を図を用いて説明する。
【００１１】
図１は本発明の一実施形態になる昇降機の遠隔監視診断装置のブロック図である。Ｅ１，Ｅ２，Ｅｎは遠隔診断を行う対象の昇降機であり、それぞれには昇降機の遠隔診断端末Ｔ１，Ｔ２，Ｔｎが接続されている。
【００１２】
遠隔診断端末Ｔ１，Ｔ２，Ｔｎでは端末の稼動初期段階で、昇降機Ｅ１，Ｅ２，Ｅｎからその昇降機の機種、用途、速度、定格積載荷重、ドアの出入口幅、モーター容量、階床数といった基本情報を採取する。センター装置Ｃ１では公衆回線網を介してこれらの情報を通信処理装置ＣＳが収集し、評価手段と評価閾値を決定するための基本データとしてセンター装置Ｃ１の基本情報ＥＭ１，ＥＭ２，ＥＭｎに格納し昇降機毎に管理する。
【００１３】
昇降機の各種リレー動作回数や電気機器の通電時間といった稼動情報は公衆電話回線網を介して１回／月定期的にセンター装置Ｃ１内の通信処理装置ＣＳで収集される。
【００１４】
収集されたこれらの稼動情報はセンター装置Ｃ１内に設けられた稼動情報記憶部ＥＤ１、ＥＤ２、ＥＤｎに昇降機毎に格納される。同時にセンター装置Ｃ１では昇降機の稼動情報ＥＤ１、ＥＤ２、ＥＤｎを格納するタイミングで、それぞれ昇降機Ｅ１、Ｅ２、Ｅｎの基本情報ＥＭ１、ＥＭ２、ＥＭｎを参照して最適な評価手段Ｄ１、Ｄ２、Ｄｎを選択し、且つ同様にセンター装置Ｃ１の記憶領域Ｓ１に格納されている昇降機の稼動状態に異常の前兆があると判定するための評価用閾値を昇降機基本情報ＥＭ１、ＥＭ２、ＥＭｎを参照して決定し、それぞれ昇降機Ｅ１、Ｅ２、Ｅｎ、及び稼動情報に適した評価用閾値を評価手段Ｄ１、Ｄ２、Ｄｎに渡すことで昇降機Ｅ１、Ｅ２、Ｅｎのそれぞれについて個別に最適な評価手段と閾値情報を選択して診断処理を実行する。
【００１５】
評価手段Ｄ１、Ｄ２、Ｄｎについてはそれぞれが個別に管理されているため、昇降機Ｅ１に対する評価手段Ｄ１のみを変更すると入った方法が容易に可能である。
【００１６】
また、診断端末Ｔ１、Ｔ２、Ｔｎから稼動情報を収集する台数の最大値はセンター装置の回線数と１台あたりの通信時間によって決定できるため、１台あたりの端末との通信時間をＣｔ［ｍｉｎ］とした場合、１時間あたりの収集台数の最大ｎｔはｎｔ＝（６０／Ｃｔ）×Ｃｎで固定されることになり、センター装置の処理時間もｎｔ台／［ｈ］であれば十分であり、要求される性能値が十分に予測可能である。
【００１７】
診断結果はセンター装置Ｃ１の稼動情報ＥＤ１，ＥＤ２，ＥＤｎに格納され、これらの情報を昇降機の保守の際に活用することで必要最小限のコストで昇降機の異常診断と故障の未然防止を実施することが可能となる。
【００１８】
このような構成をとることで診断端末においては昇降機の仕様、環境などを意識する必要がないため、稼動情報を格納する記憶領域のみの簡素な構造で良く、且つセンター装置の処理能力も容易に推定可能であるため、回線数増設時の処理能力向上のみを考慮して最小限の設備投資を行うことが可能となる。
【図面の簡単な説明】
【００１９】
【図１】本発明の一実施形態になる昇降機の遠隔監視診断装置のブロック図である。
【符号の説明】
【００２０】
Ｃ１    昇降機の遠隔監視診断装置におけるセンター装置
Ｅ１、Ｅ２、Ｅｎ    昇降機
Ｔ１、Ｔ２、Ｔｎ    それぞれ昇降機Ｅ１、Ｅ２、Ｅｎに取り付けられた遠隔診断端末    
ＥＭ１、ＥＭ２、ＥＭｎ  昇降機Ｅ１、Ｅ２、Ｅｎの仕様、環境等の基本情報
ＥＤ１、ＥＤ２、ＥＤｎ  昇降機Ｅ１、Ｅ２、Ｅｎの稼動情報
Ｄ１、Ｄ２、Ｄｎ        昇降機の異常の前兆を捉える診断エンジン
Ｒ１、Ｒ２、Ｒｎ        診断エンジンによって判定された結果情報
Ｓ１    昇降機の環境や用途、仕様に応じて蓄えられた異常を判定するための閾値情報
Ｃｎ    センター装置が有する通信回線
ＣＳ    通信処理装置
【図１】
2007055714.tif 000003